(57)【要約】【課題】保守性に優れ且つ防水性に優れて高い信頼性を有する屋外用の表示装置を提供する。【解決手段】  表示装置は、表示ユニットが前面に配置された開閉可能な前枠２２を備える。前枠２２と本体２１との間の隙間４１から、流入した雨水Ｆ２、Ｆ３のほとんどは、本体雨樋２４に捕獲されて外部に放流される。本体雨樋２４から溢れた雨水Ｆ８は、前枠２２を閉止した状態において本体雨樋２４に当接するパッキン２５２によって内部への浸入を阻止される。また、パッキン２５２から漏れた雨水は、前枠雨樋２５１に流れ込み、外部に放流される。さらに、雨水が前枠雨樋２５１から溢れたとしても、溢れた雨水Ｆ９は、電子部品よりも奥側で流下し、電子部品が濡れることはない。【選択図】図５
2006113144.tif 000002
【特許請求の範囲】
【請求項１】
表示ユニットを装置筐体の前面に備える表示装置であって、
前記装置筐体は、前記表示ユニットを駆動制御する表示制御用回路ユニットを収納する本体と、前記本体の前部に開閉可能に取り付けられるとともに前面に前記表示ユニットが装着される前枠とを有し、
前記本体又は前記前枠の一方には、前記前枠を閉止した状態において前記本体と前記前枠との接合部の上端部に位置して前記本体と前記前枠との接合部より流入する雨水を受ける第１の雨樋が設けられており、
前記本体又は前記前枠の他方には、前記前枠を閉止した状態において前記第１の雨樋の下方に位置して前記本体と前記前枠との接合部より前記第１の雨樋を通して流入した雨水を受ける第２の雨樋が設けられていることを特徴とする表示装置。
【請求項２】
前記前枠の裏面には前記表示ユニットと接続されるとともに前記表示制御用回路ユニットと接続される電気部品が配置されており、
前記第２の雨樋は、前記前枠の裏面に且つ前記電気部品よりも上側に配置され、前記前枠を閉止した状態において前記電気部品よりも前記本体の奥方に延在する、
ことを特徴とする請求項１に記載の表示装置。
【請求項３】
前記本体と前記前枠のいずれか一方には、前記前枠を閉止した状態において前記第１の雨樋と前記前枠の裏面との間に介在するシール材を備える、
ことを特徴とする請求項１又は２に記載の表示装置。
【請求項４】
前記第１の雨樋は、前記本体と前記前枠との接合部より流入する雨水を直接受ける位置及び形状に設けられ、
前記第２の雨樋は、前記第１の雨樋よりも大きいサイズを有し、前記第１の雨樋を溢れた雨水を受ける位置及び形状に設けられる、
ことを特徴とする請求項１乃至３のいずれか１項に記載の表示装置。
【請求項５】
前記本体は、前面が開口された矩形状の筐体を備え、該筐体の前側上端部は、天板が折り曲げ加工されて、前記前枠を開閉可能に支持する支持部を収容する収容部と前記第１の雨樋とを構成し、
前記前枠の上端部は、前記収容部及び前記第１の雨樋を覆うカバー部を備える、
ことを特徴とする請求項１乃至４のいずれか１項に記載の表示装置。
【請求項６】
前記表示ユニットは、発光素子を装着した複数の発光素子ユニットを備え、
前記各発光素子ユニットは、その上部に前方下方に突出して、前記発光素子を日光から遮蔽し、且つ雨水を前方に放流する庇を備える、ことを特徴とする請求項１乃至５のいずれか１項に記載の表示装置。
【発明の詳細な説明】
【技術分野】
【０００１】
この発明は屋外で使用されるのに好適な表示装置に関し、特に、防水機能を備える屋外用の表示装置に関する。
【背景技術】
【０００２】
様々な場面で文字・記号・数字を表示する表示盤が使用される。表示盤を屋外で使用する場合には、雨天下で使用されるケースも発生する。電気・電子式の表示装置の場合には、筐体内には、表示制御用の基板や配線が収容されており、これらを濡らさずに維持する必要がある。従って、防水性能が要求される。
【０００３】
このような観点から、特許文献１には、防水機能を有する屋外表示装置が開示されている。
【特許文献１】特開２００２−４０９６６号公報
【発明の開示】
【発明が解決しようとする課題】
【０００４】
特許文献１に開示されている表示装置は、装置筐体の前面に表示ユニットが固定されて構成されており、筐体内部を開閉することができず、装置の保守が困難である。
ここで、保守性を向上するため、筐体の前面又は背面に開閉扉を設けることも考えられるが、雨天時に雨水が開閉扉と本体の間の隙間から内部に浸入し、内部に収納している備品や回路が濡れてしまい、装置の信頼性が低下してしまう。
【０００５】
本発明は、上記実情に鑑みてなされたものであり、保守性に優れ且つ雨水の浸入を防止して信頼性に優れた表示装置を提供することを目的とする。
【課題を解決するための手段】
【０００６】
上記目的を達成するため、本発明の表示装置は、表示ユニットを装置筐体の前面に備える表示装置であって、前記装置筐体は、前記表示ユニットを駆動制御する表示制御用回路ユニットを収納する本体と、前記本体の前部に開閉可能に取り付けられるとともに前面に前記表示ユニットが装着される前枠とを有し、前記本体又は前記前枠の一方には、前記前枠を閉止した状態において前記本体と前記前枠との接合部の上端部に位置して前記本体と前記前枠との接合部より流入する雨水を受ける第１の雨樋が設けられており、前記本体又は前記前枠の他方には、前記前枠を閉止した状態において前記第１の雨樋の下方に位置して前記本体と前記前枠との接合部より前記第１の雨樋を通して流入した雨水を受ける第２の雨樋が設けられていることを特徴とする。
【０００７】
この構成によれば、雨樋が本体と前枠とにそれぞれ配置された二重構造となっており、本体内部への雨水の浸入をより効果的に防止することができる。
【０００８】
例えば、前記前枠の裏面には前記表示ユニットと接続されるとともに前記表示制御用回路ユニットと接続される電気部品が配置されている。この場合、前記第２の雨樋は、前記前枠の裏面に且つ前記電気部品よりも上側に配置され、前記前枠を閉止した状態において前記電気部品よりも前記本体の奥方に延在する。このような構成によれば、前記前枠を閉止した状態において第２の雨樋が電気部品よりも本体の奥方に延在しているので、雨水が第２の雨樋から溢れたとしても、電気部品に雨水がかかることがない。
【０００９】
前記本体と前記前枠のいずれか一方には、前記前枠を閉止した状態において前記第１の雨樋と前記前枠の裏面との間に介在するシール材を配置することが望ましい。このシール材により、本体内部に雨水が浸入するのをより確実に防止できる。
【００１０】
例えば、前記第１の雨樋は、前記本体と前記前枠との接合部より流入する雨水を直接受ける位置及び形状に設けられ、前記第２の雨樋は、前記第１の雨樋よりも大きいサイズを有し、前記第１の雨樋を溢れた雨水を受ける位置及び形状に設けられる。このような構成によれば、２つの雨樋を有効に使用してより確実に雨水の浸入を防止できる。
【００１１】
例えば、前記本体は、前面が開口された矩形状の筐体を備え、該筐体の前側上端部は、天板が折り曲げ加工されて、前記前枠を開閉可能に支持する支持部を収容する収容部と前記第１の雨樋を構成し、前記前枠の上端部は前記収容部及び前記第１の雨樋を覆うカバー部を備える。この構成によれば、本体の天板を折り曲げ加工して第１の雨樋を構成しているので、別部品で雨樋を構成する場合に比して、本体と第１の雨樋との間から雨水が浸入することがなく、雨水の浸入を効果的に防ぐことができる。また、カバー部を設けることにより、装置内部への雨水の浸入をより効果的に防ぐことができる。
【００１２】
例えば、前記表示ユニットは、発光素子を装着した複数の発光素子ユニットを備える。この場合、各発光素子ユニットは、その上部に前方下方に突出して、前記発光素子を日光から遮蔽し、且つ雨水を前方に放流する庇を備えることが望ましい。このような構成によれば、表示装置に直射日光があたった場合でも、表示が見やすく、また、装置本体への雨水の浸入を防ぐことができる。
【発明の効果】
【００１３】
本発明によれば、前枠が開閉可能であり、保守性に優れる。また、本体と前枠とにそれぞれ雨樋を設けたので、雨水が内部に浸入することを確実に防止することができる。
【発明を実施するための最良の形態】
【００１４】
以下、図面を参照して本発明の実施の形態にかかる表示装置について説明する。
まず、図１を参照して、実施の形態に係る表示装置の外観構成について説明する。
【００１５】
表示装置は、図１（ａ）に正面（前面）、（ｂ）に平面（上面）、（ｃ）に下面、（ｄ）に側面を示すように、筐体１２の前面（正面）に複数の発光ダイオード等の発光素子１３ｂ（図2に図示）を装着した発光素子ユニット１３がマトリクス状に配置された表示ユニットを備え、各発光素子ユニット１３の点灯と消灯の組み合わせにより、任意の文字・記号・数字を表示する。
【００１６】
各発光素子ユニット１３は、図２に拡大して示すように、前方下向きに傾斜する庇部（突出部）１３ａを備える。庇部１３ａは、発光素子１３ｂを日光から遮蔽し、また、雨天時に雨水を前方に放流する。各発光素子ユニット１３は、筐体１２を構成する前枠２２の背面からビス２２１により固定されている。また、発光素子１３ｂの配線１３ｃは、前枠２２に形成された微細なスルーホール２２２を通して筐体１２内に導かれ、前枠２２の背面（内面）に配置された後述する中継基板２２４に接続される。スルーホール２２２内には、例えば、弾性樹脂やシリコーングリスなどの雨水の流入を防止する部材２２３が充填されている。
【００１７】
次に、筐体１２の構成について図３（ａ）と（ｂ）を参照して説明する。
図３（ａ）と（ｂ）とは、図１（ｂ）の３−３線での断面図に相当し、図３（ａ）は前枠２２を閉止した状態、（ｂ）は、前枠２２を開いた状態での図である。また、図４は開閉機構部分の拡大図である。
【００１８】
図３に示すように、筐体１２は、本体２１と前枠２２とから構成される。
本体２１は、前面に開口が形成されたほぼ矩形（又は直方体）形状を有し、内部に発光素子ユニット１３を点滅駆動して任意の文字等を表示するための表示制御回路が形成された表示制御基板２１１が配置されている。表示制御基板２１１は、本体２１内の比較的高い位置に配置されている。
【００１９】
前枠２２は、図４に拡大して示すヒンジ機構（蝶番）３１を介して本体２１の前側上端部に本体２１に対して開閉可能に取り付けられており、図３（ａ）に示す閉止状態では本体２１の開口を塞ぎ、図３（ｂ）に示す開放状態では、本体２１の開口を開く。
前枠２２の内面（背面）には、中継基板２２４が配置される。中継基板２２４は、各発光素子１３ｂのリード線１３ｃに接続され、また、本体２１内の表示制御基板２１１にリード線（信号線、電源線）２１２を介して接続される。なお、中継基板２２４と表示制御基板２１１を接続する手段としては、無線通信等を使用してもよい。
【００２０】
次に、図４を参照して、前枠２２を本体２１に開閉可能に支持するヒンジ機構３１及び雨水の装置内部への浸入を防止する防水機構について説明する。
【００２１】
図４は、ヒンジ機構３１の構成図を示し、実線は前枠２２の閉止状態、二点鎖線は開放状態の図である。
【００２２】
図4に示すように、本体２１の天板の前端部は、上方に開口する第１の雨樋としての雨樋２４（以下、区別のため本体雨樋とよぶ）を構成するようにＪ字状或いはＵ字状に折り曲げ加工されている。一方、前枠２２は、本体２１の開口を塞ぐサイズを有する平板から構成される。
【００２３】
本体雨樋２４は、本体２１の幅方向（図１（ａ）の左右方向）全域に亘って設けられているとともに、本体２１の幅方向両端部からその下方に向けて上下方向全域に亘って連続して設けられ、且つ本体２１の下部においても本体２１の幅方向（図１（ａ）の左右方向）全域に亘って連続して設けられている。すなわち、本体雨樋２４は、本体２１にその全周に亘って連続して設けられている（図１（ａ）参照）。詳しく説明すると、本体２１の両側板及び底板の前端部が本体２１の天板の前端部と同様にＪ字状或いはＵ字状に折り曲げ加工されて本体雨樋２４が本体２１の幅方向両端部（図１（ａ）の左右方向両端部）からその下方に向けて上下方向全域に亘って連続して設けられ、且つ本体２１の下部においても本体２１の幅方向（図１（ａ）の左右方向）全域に亘って連続して設けられている。なお、本体雨樋２４は、本体２１の幅方向両端部からその下方に向けて上下方向に延在する部分では本体２１の側方に開口し、本体２１の下部において本体２１の幅方向に延在する部分では本体２１の下方に開口する。
【００２４】
本体雨樋２４の底壁（本体２１の上部において本体２１の幅方向に延在する部分の底壁）には、ヒンジ機構３１が溶着等により固定されており、このヒンジ機構３１を介して前枠２２がヒンジ機構３１のヒンジピン２７を回動中心として一定角度範囲で開閉（回動）可能に取り付けられている。なお、ヒンジ機構３１は、本体２１の幅方向（図１（ａ）の左右方向）に複数個設けられており、前枠２２はこれらの各ヒンジ機構３１を介して本体２１に安定して取り付けられている。
【００２５】
一方、前枠２２の内面の本体雨樋２４の前端部に対向する位置には、前枠２２を閉止した状態において、本体雨樋２４の前面に当接するパッキン２５２が固定されている。パッキン２５２は、本体雨樋２４に対応して前枠２２の全周に亘って連続して設けられている。このパッキン２５２は、弾性体や発泡樹脂から構成され、前枠２２と本体雨樋２４との間をシールする。
【００２６】
また、前枠２２の内面には、前枠２２を閉止した状態において本体奥側に延在する第２の雨樋としての前枠雨樋２５１が形成されている。この前枠雨樋２５１は、前枠２２の内面に立設して配置され、前枠２２を閉止した状態において、本体上部に位置する本体雨樋２４の下方に位置し且つ本体雨樋２４よりも本体奥側まで延在し、さらに、前枠２２の内面に固定されている電子部品（中継基板２２４、等）よりも奥まで延び、さらに、上方に屈曲して延在して、上方に開口する雨樋を形成している。前枠雨樋２５１は、本体雨樋２４に対応して前枠２２の幅方向（図１（ａ）の左右方向）全域に亘って設けられているとともに、前枠２２の幅方向両端部からその下方に向けて上下方向全域に亘って連続して設けられている（図１（ａ）参照）。すなわち、前枠雨樋２５１は前枠２２の内面にその外周に沿ってコ字状に設けられている。なお、前枠雨樋２５１は、前枠２２の幅方向両端部からその下方に向けて上下方向に延在する部分では前枠２２の側方に開口する。また、前枠雨樋２５１は、前枠２２の幅方向両端部からその下方に向けて上下方向に延在する部分では前枠２２の開閉動作の妨げとならないようにその先端長さ（図４において上方に屈曲して延在する部分に対応する部分の長さ）が短く設定されている。
【００２７】
また、前枠２２の上端部には、ヒンジ機構３１をカバーするカバー部２５４を備える。カバー部２５４は、本体２１の天板の前端折り曲げ部の直近に至り、本体雨樋２４への雨水の流入を少なくする。このカバー部２５４は、本体雨樋２４に対応して前枠２２の幅方向（図１（ａ）の左右方向）全域に亘って設けられているとともに、前枠２２の幅方向両端部からその下方に向けて上下方向全域に亘って連続して設けられている。
【００２８】
なお、筐体１２の下端部には、前枠２２を閉止状態でシールするための、パッキン３２，固定するためのねじ等の固定部材３３が配置されている。
【００２９】
次に、上記構成の表示装置の動作を説明する。  
まず、通常時には、前枠２２は、閉止されている。表示制御基板２１１から中継基板２２４を介して各発光素子ユニット１３に供給される信号により、各発光素子ユニット１３は点灯或いは消灯し、表示ユニット全体としては、任意の文字を表示する。このとき、各発光素子ユニット１３の表示は庇部１３ａにより日光から遮蔽され見やすくなっている。
【００３０】
一方、表示装置の保守時や設置時には、必要に応じて、固定部材３３が解除され、前枠２２が支軸２７を中心に回転され、開放される。従って、作業が容易である。
【００３１】
次に、雨天時の防水機能について図５を参照して説明する。
表示装置に降った雨水のほとんどは、フローＦ１のようにその表面を流れて流下するが、一部の雨水Ｆ２やＦ３が、本体２１と前枠２２の接合部の隙間４１から表示装置内に浸入する。浸入した雨水のほとんどは、本体雨樋２４に捕獲され、本体雨樋２４を通して本体２１の上端部からその幅方向両端部を経てその下方に流れて、外部に放流される。
【００３２】
一方、本体雨樋２４から溢れた雨水Ｆ８は、前枠２２を閉止した状態において本体雨樋２４に当接するパッキン２５２によって内部への浸入を阻止される。また、パッキン２５２から漏れた雨水は、前枠雨樋２５１に流れ込み、前枠雨樋２５１を通して前枠２２の上端部からその幅方向両端部を経てその下方に流れて外部に放流される。
【００３３】
さらに、雨水が前枠雨樋２５１から溢れたとしても、前枠雨樋２５１が中継基板２２４よりも奥側に延びているので、溢れた雨水Ｆ９は、電子部品よりも奥側で流下し、電子部品が濡れることはない。
【００３４】
以上説明したように、この発明実施の形態によれば、雨水の表示装置内への入流自体が抑えられ、入流した雨水も第１番目の本体雨樋２４で収集排出され、さらに、本体雨樋２４で収集できなかった雨水はパッキン２５２によって浸入が阻止される。さらに、このパッキン２５２を通過した雨水も２番目の雨樋である前枠雨樋２５１に収集・放流される。さらに、この前枠雨樋２５１を溢れた雨水が直接は回路部品をぬらすことは無いので、装置の信頼性が高度に維持される。また、本体雨樋２４が本体２１の天板を曲げ加工して構成されているので、別体の部品を使用する場合に比して表示装置内への雨水の流入を効果的に抑えることができ、信頼度が高い。また、前枠２２がカバー部２５４を備えているので、表示装置内への雨水の流入を効果的に抑えることができる。
【００３５】
また、雨水の流路の構造上、本体雨樋２４，パッキン２５２、前枠雨樋２５１を順次通過する構成であるので、流入した雨水をほぼ確実に収集し、装置外に放流することができる。
【００３６】
なお、外部に露出している発光素子ユニット１３上に降った或いは流下した雨水は、庇部１３ａの形状に従って、比較的切れよく表示装置の外に向けて放流される。従って、発光素子ユニット１３上に降った或いは流下した雨水は、表示装置内部には浸入しない。
【００３７】
以上説明したように、本実施施の形態に係る表示装置は、開閉機構により設置時・保守時の作業が容易で、かつ、雨天時の雨水の装置本体内への雨水の入流を抑えることができ、信頼度及び安全性が高い。
【００３８】
以上この発明の実施の形態を説明したが、この発明は上記実施の形態に限定されるものではない。例えば、各雨樋の構成や、パッキンの構成は任意に変更可能である。さらに、前枠雨樋２５１の下に１又は複数の前枠雨樋を追加してもよい。この場合、下側の雨樋が上側の雨樋から溢れた雨水を受けることができるように、下側の雨樋ほど奥方まで延在する必要がある。
【００３９】
また、最後の雨樋で液だれが生じて電子機器に雨水がかからないように、例えば、図５に破線で示す突起部５１を配置して、雨だれを防止してもよい。
【００４０】
また、この発明は表示装置に限定されず、屋外（雨天下）で使用される可能性があり、且つ、保守などの必要から一部を開閉する要求のある装置には広く適用可能である。
また、上記実施の形態で示したヒンジ機構の構成や表示ユニットの構成は例示であり、任意の他の構成を利用可能である。例えば、表示ユニットは、ＥＬパネルでも、バックライト付きの液晶表示素子などでもよい。また、ヒンジ機構３１は、回転軸を使用しないスイングタイプのものでよい。
【図面の簡単な説明】
【００４１】
【図１】本発明の実施の形態に係る表示装置の外観図である。
【図２】表示部を構成する表示素子の構成例を示す図である。
【図３】筐体の内部構造を示す図であり、閉止時と開成時の図である。
【図４】ヒンジ機構部の拡大図である。
【図５】雨水の流れを説明する図である。
【符号の説明】
【００４２】
１２  筐体
１３  発光素子ユニット
２１  本体
２２  前枠
【図１】
2006113144.tif 000003
【図２】
2006113144.tif 000004
【図３】
2006113144.tif 000005
【図４】
2006113144.tif 000006
【図５】
2006113144.tif 000007